(57)【要約】【課題】バーコード画像を利用したチケット販売システムにおけるセキュリティを向上させる。【解決手段】チケット販売サーバ１０は、２つに分割したチケットデータの一方に対応するバーコードデータと、他方に対応するバーコード画像の表示タイミングを示す情報とを携帯電話機２０に送信し、携帯電話機２０は、バーコード画像を表示タイミングに従って表示部２４に表示し、読み取り装置３０は、表示部２４に表示されたバーコード画像を読み取り、その表示タイミングを検出し、読み取ったバーコード画像と検出した表示タイミングとに基づいて、チケットデータを復元する。【選択図】  図１
2004326241.tif 000002
【特許請求の範囲】
【請求項１】
２つに分割されたデータの一方に対応する画像データと、他方に対応する、前記画像データに基づく画像の表示タイミングを示すデータとを、表示部を有する端末装置に送信する送信手段を備えるデータ送信サーバ。
【請求項２】
データに対応する画像データと、前記画像データから前記データを復元するのに必要な情報に対応する、前記画像データに基づく画像の表示タイミングを示すデータとを、表示部を有する端末装置に送信する送信手段を備えるデータ送信サーバ。
【請求項３】
請求項１又は２記載のデータ送信サーバであって、
前記表示タイミングを示すデータは、前記画像の表示と非表示の組み合わせを定義した情報であるサーバ。
【請求項４】
請求項１又は２記載のサーバであって、
前記画像データは、複数種類の画像データで構成したものであるサーバ。
【請求項５】
請求項４記載のサーバであって、
前記表示タイミングを示すデータは、前記複数種類の画像データに基づく複数種類の画像の各々の表示時間を定義した情報であるサーバ。
【請求項６】
請求項１〜５のいずれか記載のサーバであって、
前記画像データは、バーコードデータであるサーバ。
【請求項７】
請求項１〜５のいずれか記載のサーバであって、
前記画像データは、２次元コードデータであるサーバ。
【請求項８】
表示部を有する端末装置であって、
分割された２つのデータのうちの一方に対応する画像データに基づく画像を、他方に対応する前記画像の表示タイミングを示すデータにしたがって、前記表示部に表示するよう制御する表示制御手段を備える端末装置。
【請求項９】
表示部を有する端末装置であって、
データに対応する画像データに基づく画像を、前記画像データから前記データを復元するのに必要な情報に対応する前記画像の表示タイミングを示すデータにしたがって、前記表示部に表示するよう制御する表示制御手段を備える端末装置。
【請求項１０】
外部の表示部に表示された画像を読み取る読み取り手段を有する装置であって、
前記読み取り手段が読み取った画像から前記画像の表示タイミングを検出する検出手段と、
前記読み取り手段が読み取った画像と前記検出手段が検出した表示タイミングとに基づいて、前記画像に対応するデータと前記表示タイミングを示すデータに対応するデータとから構成されるデータを復元する復元手段とを備える読み取り装置。
【請求項１１】
外部の表示部に表示された画像を読み取る読み取り手段を有する装置であって、
前記読み取り手段が読み取った画像から前記画像の表示タイミングを検出する検出手段と、
前記検出手段が検出した表示タイミングに基づいて、前記画像に対応するデータを復元する復元手段とを備える読み取り装置。
【請求項１２】
サーバと、前記サーバから受信したデータを表示する表示部を有する端末装置と、前記表示部に表示されたデータを読み取る読み取り手段を有する読み取り装置とを含むシステムであって、
前記サーバは、２つに分割されたデータの一方に対応する画像データと、他方に対応する前記画像データに基づく画像の表示タイミングを示すデータとを、前記端末装置に送信する送信手段を備え、
前記端末装置は、前記画像データに基づく画像を、前記表示タイミングを示すデータにしたがって前記表示部に表示するよう制御する表示制御手段を備え、
前記読み取り装置は、前記読み取り手段が読み取った画像から前記画像の表示タイミングを検出する検出手段と、前記読み取り手段が読み取った画像と前記検出手段が検出した表示タイミングとに基づいて、前記画像に対応するデータと前記表示タイミングを示すデータに対応するデータとから構成されるデータを復元する復元手段とを備えるデータ処理システム。
【請求項１３】
サーバと、前記サーバから受信したデータを表示する表示部を有する端末装置と、前記表示部に表示されたデータを読み取る読み取り手段を有する読み取り装置とを含むシステムであって、
前記サーバは、データに対応する画像データと、前記画像データから前記データを復元するのに必要な情報に対応する、前記画像データに基づく画像の表示タイミングを示すデータとを、前記端末装置に送信する送信する送信手段を備え、
前記端末装置は、前記画像データに基づく画像を、前記表示タイミングを示すデータにしたがって前記表示部に表示するよう制御する表示制御手段を備え、
前記読み取り装置は、前記読み取り手段が読み取った画像から前記画像の表示タイミングを検出する検出手段と、前記検出手段が検出した表示タイミングに基づいて、前記画像に対応するデータを復元する復元手段とを備えるデータ処理システム。
【請求項１４】
２つに分割されたデータの一方に対応する画像データと、他方のデータに対応する、前記画像データに基づく画像の表示タイミングを示すデータとを取得し、
前記画像データ及び表示タイミングを示すデータを、表示部を有する端末装置に送信する方法。
【請求項１５】
データに対応する画像データと、前記画像データから前記データを復元するのに必要な情報に対応する、前記画像データに基づく画像の表示タイミングを示すデータとを取得し、
前記画像データ及び表示タイミングを示すデータを、表示部を有する端末装置に送信する方法。
【発明の詳細な説明】
【０００１】
【発明が属する技術分野】
本発明は、端末装置の表示部にサーバから受信した画像を表示し、表示された画像を読み取り装置で読み取って、その画像に対応するデータを復元するデータ処理システムに関する。
【０００２】
【従来の技術】
現在、さまざまな分野、例えば商品管理や流通の分野でバーコードが利用され、業務の効率化を実現している。
【０００３】
また、バーコードの白黒のバーパターンに対応したパルス信号を生成し、このパルス信号に応じた光信号に基づいて発光素子や表示素子を駆動することで、表示部にバーコード画像を表示せずに、読み取り側にバーコードの情報を渡すことが可能な装置が提案されている（例えば、特許文献１参照）。
【０００４】
一方、近年の携帯電話装置の普及に伴って、携帯電話装置を利用した各種のサービスが考えられており、その一つとして、携帯電話装置の液晶表示装置にバーコード画像を表示し、各種のサービスを行うことが考えられている。
【０００５】
その一例として、携帯電話装置を利用したチケット販売システムについて説明する。このチケット販売システムでは、ユーザが、チケット販売元の管理するサーバにアクセスし、コンサートチケットを購入する。ユーザがチケットを購入すると、そのチケットを示すデータとして、バーコード画像がサーバからユーザの携帯電話装置に送信されてくる。
【０００６】
コンサートの当日、ユーザは、携帯電話装置をコンサート会場に持っていき、チケット購入時に送信されてきたバーコート画像を携帯電話装置のディスプレイに表示させて、受付のバーコード読み取り部に当てる。バーコード読み取り部はディスプレイ上のバーコードを読み取って、チケットを認識する。これにより、ユーザはコンサート会場に入場可能となる。
【０００７】
【特許文献１】
特開２００２−９９８７４号公報
【０００８】
【発明が解決しようとする課題】
しかしながら、上記従来のバーコード画像を利用したチケット販売システムにあっては、携帯電話装置に表示されているバーコード画像を他人が撮像し、撮像したバーコード画像を受付のバーコード読み取り部に提示することにより、他人がコンサート会場に入場できる可能性があり、システムの安全性が確保できない。
【０００９】
本発明は、上記事情に鑑みてなされたものであって、上記のようなシステムにおけるセキュリティを向上させることが可能なデータ処理システムを提供することを目的とする。
【００１０】
【課題を解決するための手段】
本発明のデータ送信サーバは、２つに分割されたデータの一方に対応する画像データと、他方に対応する、前記画像データに基づく画像の表示タイミングを示すデータとを、表示部を有する端末装置に送信する送信手段を備える。
【００１１】
本発明のデータ送信サーバは、データに対応する画像データと、前記画像データから前記データを復元するのに必要な情報に対応する、前記画像データに基づく画像の表示タイミングを示すデータとを、表示部を有する端末装置に送信する送信手段を備える。
【００１２】
又、本発明のデータ送信サーバは、前記表示タイミングを示すデータが、前記画像の表示と非表示の組み合わせを定義した情報である。
【００１３】
又、本発明のデータ送信サーバは、前記画像データが、複数種類の画像データで構成したものである。
【００１４】
又、本発明のデータ送信サーバは、前記表示タイミングを示すデータが、前記複数種類の画像データに基づく複数種類の画像の各々の表示時間を定義した情報である。
【００１５】
又、本発明のデータ送信サーバは、前記画像データが、バーコードデータである。
【００１６】
又、本発明のデータ送信サーバは、前記画像データが、２次元コードデータである。
【００１７】
本発明の端末装置は、表示部を有する端末装置であって、分割された２つのデータのうちの一方に対応する画像データに基づく画像を、他方に対応する前記画像の表示タイミングを示すデータにしたがって、前記表示部に表示するよう制御する表示制御手段を備える。
【００１８】
本発明の端末装置は、表示部を有する端末装置であって、データに対応する画像データに基づく画像を、前記画像データから前記データを復元するのに必要な情報に対応する前記画像の表示タイミングを示すデータにしたがって、前記表示部に表示するよう制御する表示制御手段を備える。
【００１９】
本発明の読み取り装置は、外部の表示部に表示された画像を読み取る読み取り手段を有する装置であって、前記読み取り手段が読み取った画像から前記画像の表示タイミングを検出する検出手段と、前記読み取り手段が読み取った画像と前記検出手段が検出した表示タイミングとに基づいて、前記画像に対応するデータと前記表示タイミングを示すデータに対応するデータとから構成されるデータを復元する復元手段とを備える。
【００２０】
本発明の読み取り装置は、外部の表示部に表示された画像を読み取る読み取り手段を有する装置であって、前記読み取り手段が読み取った画像から前記画像の表示タイミングを検出する検出手段と、前記検出手段が検出した表示タイミングに基づいて、前記画像に対応するデータを復元する復元手段とを備える。
【００２１】
本発明のデータ処理システムは、サーバと、前記サーバから受信したデータを表示する表示部を有する端末装置と、前記表示部に表示されたデータを読み取る読み取り手段を有する読み取り装置とを含むシステムであって、前記サーバは、２つに分割されたデータの一方に対応する画像データと、他方に対応する前記画像データに基づく画像の表示タイミングを示すデータとを、前記端末装置に送信する送信手段を備え、前記端末装置は、前記画像データに基づく画像を、前記表示タイミングを示すデータにしたがって前記表示部に表示するよう制御する表示制御手段を備え、前記読み取り装置は、前記読み取り手段が読み取った画像から前記画像の表示タイミングを検出する検出手段と、前記読み取り手段が読み取った画像と前記検出手段が検出した表示タイミングとに基づいて、前記画像に対応するデータと前記表示タイミングを示すデータに対応するデータとから構成されるデータを復元する復元手段とを備える。
【００２２】
この構成により、表示部に表示された画像とその表示タイミングとにより、２つのデータが復元される。例えば、一方のデータがコンサートのチケットに関するチケットデータであり、他方のデータがそのチケットを購入したユーザに関するユーザデータである場合、チケットデータに対応する画像データが漏洩したとしても、その画像データに基づく画像の表示タイミングが異なれば、ユーザデータは復元されない。このため、チケットデータとユーザデータとが揃わなければコンサート会場に入場できないようにしておくことで、チケットを購入したユーザ以外の人間がコンサート会場に入場してしまうのを防ぐことができ、コンサート会場に入場することができるという権利の安全性を保証することができる。
【００２３】
本発明のデータ処理システムは、サーバと、前記サーバから受信したデータを表示する表示部を有する端末装置と、前記表示部に表示されたデータを読み取る読み取り手段を有する読み取り装置とを含むシステムであって、前記サーバは、データに対応する画像データと、前記画像データから前記データを復元するのに必要な情報に対応する、前記画像データに基づく画像の表示タイミングを示すデータとを、前記端末装置に送信する送信する送信手段を備え、前記端末装置は、前記画像データに基づく画像を、前記表示タイミングを示すデータにしたがって前記表示部に表示するよう制御する表示制御手段を備え、前記読み取り装置は、前記読み取り手段が読み取った画像から前記画像の表示タイミングを検出する検出手段と、前記検出手段が検出した表示タイミングに基づいて、前記画像に対応するデータを復元する復元手段とを備える。
【００２４】
この構成により、表示部に表示される画像とその表示タイミングを示す表示タイミング情報に対応する他方のデータとに基づいて、一方のデータが復元される。例えば、一方のデータがコンサートのチケットに関するチケットデータであり、他方のデータがそのチケットデータを復元するのに必要な暗号データである場合、チケットデータに対応する画像データが漏洩したとしても、その画像データに基づく画像の表示タイミングが異なれば、上記チケットデータは復元されない。このため、チケットを購入したユーザ以外の人間がコンサート会場に入場できるのを防ぐことができ、コンサート会場に入場できるという権利の安全性を保証することができる。
【００２５】
【発明の実施の形態】
（第一実施形態）
図１は、本発明の第一実施形態を説明するためのチケット販売システム１００の概略構成を示す図である。なお、チケット販売システム１００の全体的な処理の流れは、従来と同様である。
【００２６】
チケット販売システム１００は、チケットを販売するチケット販売サーバ１０と、携帯電話機２０と、携帯電話機２０の表示部に表示されたバーコード画像を読み取る読み取り装置３０とを備え、チケット販売サーバ１０、携帯電話機２０、及び読み取り装置３０はインターネット等のネットワーク４０に無線又は有線で接続されている。
【００２７】
チケット販売サーバ１０は、各部を制御する制御部１１と、記録部１２と、チケットデータを２つに分割するデータ分割部１３と、バーコード画像の画像データ（以下、バーコードデータという）を生成する画像データ生成部１４と、携帯電話機２０の表示部に表示されるバーコード画像の表示タイミングを示す情報（以下、表示タイミング情報という）を生成する情報生成部１５と、通信部１６とを備える。
【００２８】
記録部１２は、コンサートのチケットを示すチケットデータを記録する。データ分割部１３は、記録部１２に記録されているチケットデータをデータＡとデータＢの２つのデータに分割する。
【００２９】
画像データ生成部１４は、データＡに対応するバーコードデータを生成する。情報生成部１５は、データＢに対応する表示タイミング情報を生成する。表示タイミング情報は、画像データ生成部１４で生成されたバーコードデータに基づくバーコード画像を、携帯電話機２０の表示部においてどのようなタイミングで表示するのかを定義した情報である。
【００３０】
図２は、バーコード画像を表示タイミング情報にしたがって表示させる方法として、ベースバンド方式を使用した場合の表示タイミングを示す図である。パルス幅ΔＴのクロックパルスを基準として、スタートパルスからストップパルスまでの間に、同図のようにバーコード画像を携帯電話機２０の表示部２４に表示／非表示させることにより、バーコード画像だけではなく、時間軸方向にも情報を持たせることができる。
【００３１】
情報生成部１５は、例えば、データＢに対応させてバーコード画像の表示と非表示の組み合わせパターンを決定したり、バーコード画像の表示時間と非表示時間との組み合わせパターンを決定したりして、上記表示タイミング情報を生成する。
【００３２】
なお、時間軸方向に情報を持たせる方法としては、ベースバンド方式のほか、デジタルデータ伝送方式の各方式を使用することができる。また、バーコード画像の表示／非表示の開始および終了を示すために、表示タイミング情報に、表示の開始パターンおよび終了パターンを定義した情報を含ませることも可能である。
【００３３】
通信部１６は、画像データ生成部１４が生成したバーコードデータと情報生成部１５が生成した表示タイミング情報とを、ネットワーク４０を介して携帯電話機２０に送信する。なお、バーコードデータと表示タイミング情報とは一緒に送信しなくても良く、それぞれを別々のルートで送信するようにしても良い。また、バーコードデータと表示タイミング情報とを一緒に送信する場合は、ビデオデータやアニメＧＩＦ等の形式のデータとして携帯電話機２０に送信するようにしても良い。
【００３４】
携帯電話機２０は、各部を制御する制御部２１と、通信部２２と、記録部２３と、液晶表示装置等の表示部２４とを備える。なお、携帯電話機２０は、携帯電話機でなくても良く、表示部を有している端末装置ならば、どのようなものでも良い。
【００３５】
通信部２２は、チケット販売サーバ１０から送信されてくるバーコードデータ及び表示タイミング情報を受信する。記録部２３は、通信部２２が受信したバーコードデータ及び表示タイミング情報を記録する。
【００３６】
制御部２１は、記録部２３に記録されているバーコードデータに基づくバーコード画像を、表示タイミング情報にしたがって表示部２４に表示するよう制御する。
【００３７】
読み取り装置３０は、各部を制御する制御部３１と、通信部３２と、外部の表示部に表示されるバーコード画像を読み取る読み取り部３３と、読み取り部３３で読み取られたバーコード画像の表示タイミング（表示／非表示の組み合わせパターン等）を検出する検出部３４と、読み取り部３３で読み取られたバーコード画像とその表示タイミングとに基づいてチケットデータを復元するデータ復元部３５とを備える。
【００３８】
通信部３２は、ネットワーク４０を介してチケット販売サーバ１０と通信を行う。読み取り部３３は、携帯電話機２０の表示部２４に表示されたバーコード画像を読み取る。
【００３９】
データ復元部３５は、読み取り部３３で読み取られたバーコード画像からデータＡを復元し、検出部３４が検出したバーコード画像の表示タイミングを示す情報からデータＢを復元し、両者を合成することでチケットデータを復元する。
【００４０】
図３は、チケット販売システム１００の処理フローを示す図である。
ユーザが、携帯電話機２０によりチケット販売サーバ１０にアクセスして、コンサートチケットを購入すると、チケット販売サーバ１０は、そのユーザの購入したコンサートチケットのチケットデータを記録部１２から読み出し、それをデータＡとデータＢに分割する（Ｓ３１）。
【００４１】
分割後、チケット販売サーバ１０は、データＡに対応するバーコードデータを生成し、データＢに対応する表示タイミング情報を生成する（Ｓ３２）。そして、生成したバーコードデータと表示タイミング情報を、携帯電話機２０に送信する（Ｓ３３）。
【００４２】
コンサートの当日、ユーザにより、コンサート会場の受付に設置されている読み取り装置３０の読み取り部３３に携帯電話機２０の表示部２４が当てられ、チケット購入時に送信されてきたバーコードデータに基づくバーコード画像の表示指示がなされると、携帯電話機２０の表示部２４には、表示タイミングにしたがってバーコード画像が点滅表示される（Ｓ３４）。
【００４３】
読み取り装置３０は、表示部２４に点滅表示されているバーコード画像を読み取り（Ｓ３５）、更に、そのバーコード画像の表示タイミングを検出する（Ｓ３６）。その後、読み取ったバーコード画像からデータＡを復元し、検出した表示タイミングからデータＢを復元する（Ｓ３７）。最後に、復元したデータＡとデータＢとを合成し、チケットデータを復元する（Ｓ３８）。
【００４４】
そして、読み取り装置３０は、ネットワーク４０を介してチケット販売サーバ１０に問い合せ、復元したチケットデータが、ユーザによって実際に購入されたチケットデータと一致することを確認する。両者が一致すると、ユーザはコンサート会場に入場可能となる。
【００４５】
以上のように本実施形態によれば、携帯電話機２０の表示部２４に表示されるバーコード画像の他に、そのバーコード画像の表示タイミング自体にも情報を持たせており、これら２つの情報が揃って初めてチケットデータが復元される。
【００４６】
このため、例えば、チケットを購入していない人間が、携帯電話機２０の表示部２４に表示されているバーコード画像を撮像し、撮像したバーコード画像を読み取り装置３０に提示したとしても、そのバーコード画像だけではデータＢが復元されず、チケットデータは復元されない。したがって、コンサートチケットを購入していない人間が、コンサート会場に入場できてしまうといった問題点を無くすことができ、チケット販売システムにおける安全性を確保することができる。
【００４７】
また、表示部にバーコード画像を表示せずに、そのバーコード画像に対応させて発光素子を点滅させて読み取り側にデータを伝達する従来の装置では、発光素子の発光タイミングにのみしかデータが含まれていない。ところが、本実施形態では、携帯電話機２０の表示部２４にデータＡに対応するバーコード画像を表示し、これを点滅させることでデータＢも伝達することができる。したがって、従来よりもより多くのデータを扱うことができ、バーコード画像を利用したシステムの応用範囲を広げることができる。
【００４８】
また、上記従来の装置で大容量のデータを伝達しようとすると、発光素子を長い間点滅させる必要があり、データの復元に時間がかかってしまう。ところが、本実施形態によれば、データが大容量であっても、表示タイミング情報自体にそれほどデータを持たせないようにすることで、データの復元を短時間で行うことができる。
【００４９】
なお、本実施形態では、チケット販売サーバ１０において、チケットデータを分割してバーコード画像と表示タイミング情報を生成する例を説明したが、チケット販売サーバ１０から携帯電話機２０にチケットデータを送信し、携帯電話機２０において、チケットデータを分割してバーコード画像と表示タイミング情報を生成するようにしてもよい。
【００５０】
また、チケットデータに対応するバーコード画像と表示タイミング情報とを、予め他のサーバで生成して外部のデータベースに記録しておき、チケット販売サーバ１０は、そのデータベースからバーコード画像と表示タイミング情報とを取得して、携帯電話機２０に送信するようにしても良い。
【００５１】
また、本実施形態では、画像データ生成部１４がデータＡに対応するバーコードデータを生成しているが、これはバーコードデータに限らず、ＱＲコード等の２次元コード画像を生成するためのＱＲコードデータであっても良い。この場合は、バーコードに比べてより多くのデータを携帯電話機２０に送信することができる。
【００５２】
また、本実施形態では、チケットデータを２つに分割する例を示したが、分割する数は２つに限らず、２つ以上であればいくつでも構わない。
【００５３】
また、本実施形態では、画像データ生成部１４がデータＡに対応するバーコードデータを１つしか生成していないが、データＡに対応するバーコードデータを複数種類生成するようにしても良い。この場合について以下に説明する。
【００５４】
上記のような場合、チケット販売サーバ１０の画像データ生成部１４は、データＡに対応するバーコードデータとして複数種類のバーコードデータを生成する。チケット販売サーバ１０の情報生成部１５は、複数種類のバーコードデータに基づくバーコード画像の各々の表示時間や表示順序を示す表示タイミング情報を生成する。
【００５５】
例として、バーコード画像の替わりにＱＲコード画像を利用し、画像データ生成部１４が異なるｎ個のＱＲコードＢ１、Ｂ２、Ｂ３・・・Ｂｎを生成し、情報生成部１５が、ｎ個のＱＲコード画像の各々の表示時間をｔ１、ｔ２、・・・ｔ（ｎ−１）とする表示タイミング情報を生成した場合の、携帯電話機１０の表示部２４の画面遷移状態を図４に示す。
【００５６】
図４に示したように、Ｂ１がｔ１の間表示されると、表示はＢ２に変わり、Ｂ２がｔ２の間表示されるとＢ３に変わるといった具合に、ＱＲコード画像が順次表示されていく。このように、ｎ個のＱＲコード画像の各々を順に表示することにより、ｎ個のＱＲコード画像の各々に対応するデータの他に、表示時間のパターンにもデータを持たせることができる。したがって、チケットデータが大容量である場合でも、それに対応することができる。
【００５７】
（第二実施形態）
本発明の第二実施形態を説明するためのチケット販売システム２００は、図１のチケット販売システム２００のチケット販売サーバ１０の機能を一部変更したものである。
図５は、本発明の第二実施形態を説明するためのチケット販売システムの概略構成を示す図である。図１と同様の構成には同一符号を付して説明する。
【００５８】
チケット販売システム２００は、チケットを販売するチケット販売サーバ５０と、携帯電話機２０と、携帯電話機２０の表示部に表示されたバーコード画像を読み取る読み取り装置６０とを備え、チケット販売サーバ５０、携帯電話機２０、及び読み取り装置６０はインターネット等のネットワーク４０に無線又は有線で接続されている。
【００５９】
チケット販売サーバ５０は、各部を制御する制御部５１と、記録部１２と、バーコード画像の画像データ（以下、バーコードデータという）を生成する画像データ生成部５４と、携帯電話機２０の表示部に表示されるバーコード画像の表示タイミングを示す情報（以下、表示タイミング情報という）を生成する情報生成部５５と、通信部１６とを備える。
【００６０】
画像データ生成部５４は、記録部１２に記録されているチケットデータに対応するバーコードデータを生成する。情報生成部１５は、画像データ生成部５４で生成されたバーコードデータからチケットデータを復元するために必要な暗号データを生成し、この暗号データに対応する表示タイミング情報を生成する。表示タイミング情報は、画像データ生成部５４で生成されたバーコードデータに基づくバーコード画像を、携帯電話機２０の表示部においてどのようなタイミングで表示するのかを定義した情報である。
【００６１】
読み取り装置６０は、各部を制御する制御部６１と、通信部３２と、読み取り部３３と、検出部３４と、読み取り部３３で読み取られたバーコード画像を復元するデータ復元部６５とを備える。
【００６２】
データ復元部６５は、検出部３４が検出したバーコード画像の表示タイミングを示す情報から暗号データを復元し、復元した暗号データを用いて、読み取り部３３で読み取られたバーコード画像に対応するチケットデータを復元する。
【００６３】
図６は、チケット販売システム２００の処理フローを示す図である。
ユーザが、携帯電話機２０によりチケット販売サーバ５０にアクセスして、コンサートチケットを購入すると、チケット販売サーバ５０は、そのユーザの購入したコンサートチケットのチケットデータを記録部１２から読み出し、読み出したチケットデータに対応するバーコードデータを生成し、そのバーコードデータからチケットデータを復元するために必要な暗号データに対応する表示タイミング情報を生成する（Ｓ６１）。そして、生成した画像データと表示タイミング情報を、携帯電話機２０に送信する（Ｓ６２）。
【００６４】
コンサートの当日、ユーザにより、コンサート会場の受付に設置されている読み取り装置６０の読み取り部３３に携帯電話機２０の表示部２４が当てられ、チケット購入時に送信されてきたバーコードデータに基づくバーコード画像の表示指示がなされると、携帯電話機２０の表示部２４には、表示タイミングにしたがってバーコード画像が点滅表示される（Ｓ６３）。
【００６５】
読み取り装置６０は、表示部２４に点滅表示されているバーコード画像を読み取り（Ｓ６４）、更に、そのバーコード画像の表示タイミングを検出する（Ｓ６５）。その後、検出した表示タイミングから暗号データを復元する（Ｓ６６）。そして、Ｓ６４で読み取ったバーコード画像に対応するチケットデータを、Ｓ６６で復元した暗号データを用いて復元する（Ｓ６７）。
【００６６】
そして、読み取り装置６０は、ネットワーク４０を介してチケット販売サーバ５０に問い合せ、復元したチケットデータが、ユーザによって実際に購入されたチケットデータと一致することを確認する。両者が一致すると、ユーザはコンサート会場に入場可能となる。
【００６７】
以上のように本実施形態によれば、携帯電話機２０の表示部２４に表示されるバーコード画像の他に、そのバーコード画像の表示タイミング自体に暗号データを持たせており、これら２つの情報が揃って初めてチケットデータが復元される。
【００６８】
このため、例えば、チケットを購入していない人間が、携帯電話機２０の表示部２４に表示されているバーコード画像を撮像し、撮像したバーコード画像を読み取り装置３０に提示したとしても、暗号データがなければチケットデータは復元されない。したがって、コンサートチケットを購入していない人間が、コンサート会場に入場できてしまうといった問題点を無くすことができ、チケット販売システムにおける安全性を確保することができる。
【００６９】
【発明の効果】
本発明によれば、例えば、バーコード画像を利用したチケット販売システムにおけるセキュリティを向上させることが可能となる。
【図面の簡単な説明】
【図１】本発明の第一実施形態を説明するためのチケット販売システムの概略構成を示す図
【図２】バーコード画像を表示タイミング情報にしたがって表示させた場合の表示タイミングを示す図
【図３】本発明の第一実施形態を説明するためのチケット販売システムの処理フローを示す図
【図４】本発明の第一実施形態を説明するためのチケット販売システムの携帯電話機の表示部の画面遷移状態を示す図
【図５】本発明の第二実施形態を説明するためのチケット販売システムの概略構成を示す図
【図６】本発明の第二実施形態を説明するためのチケット販売システムの処理フローを示す図
【符号の説明】
１０  チケット販売サーバ
１１、２１、３１  制御部
１２、２３  記録部
１６、２２、３２  通信部
１４  画像データ生成部
１５  情報生成部
２０  携帯電話機
２４  表示部
３０  読み取り装置
３３  読み取り部
３４  検出部
３５  データ復元部
４０  ネットワーク
１００  チケット販売システム
【図１】
2004326241.tif 000003
【図２】
2004326241.tif 000004
【図３】
2004326241.tif 000005
【図４】
2004326241.tif 000006
【図５】
2004326241.tif 000007
【図６】
2004326241.tif 000008